(57)【要約】【課題】  体の不自由な方が使用される収納式多目的シートにおいて、シート本体に使用者が手すりに大きな力を加えた場合であっても、その加重に応じてシート本体が揺動しない収納式多目的シートを提供すること。【解決手段】  収納式多目的シート１０は、シート本体１１の第１の辺側に設けられた手すり１５を備え、手すり１５は、支持部２１に対して揺動可能となるように支持されていて、シート本体１１の収納状態では手すり１５が壁面Ｗとシート本体１１との間でそれらと並立するように軸支され、シート本体１１の使用状態では手すり１５の上端がシート本体１１の中央側へ傾斜するように軸支され、シート本体１１の揺動操作に対して手すり１５が連動して揺動するように構成される一方で、シート本体１１の使用状態においては手すり１５に対する操作に対してシート本体１１が揺動することが規制されるように構成されている。【選択図】図２
2010142377.tif 000002
【特許請求の範囲】
【請求項１】
矩形のシート本体を備え、前記シート本体は、建物の構造体に設置されたシート支持体に対して前記シート本体の第１の辺と平行に設けられた回転軸周りに揺動可能に軸支され、収納状態では前記シート本体が壁面に対面するように略垂直状態で収納され、使用状態では前記シート本体が略水平となるように支持された収納式多目的シートであって、
前記シート本体の前記第１の辺側に設けられた手すりを備え、
前記手すりは、前記シート本体若しくは前記シート支持体に対して揺動可能となるように回転伝達手段を介して支持されていて、
前記回転伝達手段は、前記手すりを前記シート本体の収納状態では前記壁面と前記シート本体との間でそれらと並立するように支持する一方で、前記シート本体の使用状態では前記手すりの上端が前記シート本体の中央側へ傾斜するように揺動可能に支持しており、
更に、前記回転伝達手段は、前記シート本体の揺動操作に対しては前記手すりが連動して揺動するように構成されている一方で、少なくとも前記シート本体の使用状態においては、前記手すりに入力された操作力によって前記シート本体が前記収納状態方向に揺動させられることがないように構成されていることを特徴とする収納式多目的シート。
【請求項２】
前記回転伝達手段は前記シート本体に取り付けられたシート側伝達部材を備え、
前記シート側伝達部材は、前記手すりを前記シート本体が収納状態から使用状態に揺動させる過程において前記手すりの上端が前記シート本体の中央側へ傾斜するように揺動させるよう構成されている一方で、少なくとも前記シート本体の使用状態においては、前記手すりに入力された操作力によって前記シート本体が前記収納状態方向に揺動させられて該手すりが前記壁面側に揺動してしまうことがないように、該手すりの動きが拘束されるように構成されていることを特徴とする請求項１に記載の収納式多目的シート。
【請求項３】
前記回転伝達手段は、前記シート本体の回転軸を構成するシート回転軸構成部材と、該シート回転軸構成部材のシート本体の回転軸とは独立して異なる位置に設けられた前記手すりの回転軸を備えた手すり回転軸構成部材を備え、
前記手すり回転軸構成部材と前記シート回転軸構成部材とは、前記シート本体の収納状態では接触しておらず、前記シート本体が収納状態から使用状態へと所定角度揺動した状態で当接することによって前記シート本体の揺動に連動して前記手すりを揺動させるように構成されている一方で、前記シート本体の使用状態では、前記手すりに入力された操作力によって前記シート本体が前記収納状態方向に揺動させられることがないように、前記操作力が前記シート本体の回転軸に略向って作用するように構成したことを特徴とする請求項１又は２に記載の収納式多目的シート。
【請求項４】
前記手すり回転軸構成部材と前記シート回転軸構成部材は、前記手すりに入力された操作力が、前記シート本体の回転軸の軸心に向うように、若しくは、前記シート本体が使用状態方向に揺動するモーメントとして所定量作用する方向になるよう構成されていることを特徴とする請求項３に記載の収納式多目的シート。
【請求項５】
前記シート側伝達部材は、前記シート本体が収納状態から使用状態へと所定角度揺動した状態で前記手すりを連動させて揺動させるように構成されている一方で、前記シート本体の使用状態では、前記手すりからの操作力が、前記シート本体に対して使用状態方向へ作用するように傾斜面が形成されていることを特徴とする請求項２に記載の収納式多目的シート。
【発明の詳細な説明】
【技術分野】
【０００１】
本発明は、収納式多目的シートに関する。
【背景技術】
【０００２】
従来、取付ベースに対して回転軸周りに揺動可能に軸支されたシート本体を備え、使用時にはシート本体を水平にし、収納時にはこれを引き上げてシート本体の戴置面が壁と向き合うように垂直にして収納する収納式多目的シートが知られている。
【０００３】
下記特許文献１には、この収納式多目的シートの一例が記載されている。特許文献１に記載の収納式多目的シートには、シート上での姿勢保持、移動補助、あるいは落下防止などを目的として手すりが設けられている。この手すりは、取付ベースに固定されている壁側の手すりと、シート本体の自由端側の手すりがある。下記特許文献１記載の収納式多目的シートを設置する場合には、壁側の手すりに壁との間に握り代となる空間が必要となるために、シート本体と壁面との間に所定の距離をとる必要がある。つまり、シート本体を収納した際に、かなりの収納空間が必要となっている。
【０００４】
しかしながら、この収納式多目的シートは、トイレブースなどの比較的狭い空間内に設置されることが多いので、収納に要する空間は小さい方が好ましい。また、車椅子利用者が着座するシーンもあることから、ベッド本体使用時における空間使用量も小さい方が好ましい。そこで、収納式多目的シートを収納したときに必要となる空間を小さくするとともに、シート本体使用時における空間使用量も小さくすることを目的として、本出願人は下記特許文献２に記載されているような収納式多目的シートを提案した。
【０００５】
下記特許文献２に記載されている収納式多目的シートは、矩形のシート本体を備え、そのシート本体は、自身の第１の辺と平行に設けられた回転軸周りに揺動可能に軸支され、収納状態ではシート本体が略垂直になるとともに、壁面に対面するように収納され、使用状態ではシート本体が略水平となるものである。そして、壁側の手すりが、シート本体に対して揺動可能となるように支持されていて、これによって、収納状態では、手すりは壁面とシート本体との間で、壁面及びシート本体に近接した状態で並設されるように収納され、使用状態では、壁側の手すりの上端が、シート本体の中央側へ傾斜することで壁との間に必要で十分な握り代が確保できるように工夫されているものである。
【特許文献１】特開２００３−２７５２５５号公報
【特許文献２】特許第３９８１８９０号公報
【発明の開示】
【発明が解決しようとする課題】
【０００６】
上記のとおり、特許文献２に記載されている収納式多目的シートによれば、壁側の手すりを、収納状態ではシート本体と近接して並設させることにより、シート本体を壁に近づけてコンパクトに収納することができるようになっている。一方で、使用状態では手すりの先端をシート本体の中央側へ傾斜させることにより、壁面と手すりとの間に十分な距離が生じるため、手すりの握り代としての空間を十分に確保できたためコンパクトな収納空間を得る為に手すりの使い勝手が犠牲にされてしまうという問題を確実に解決できたものである。
【０００７】
ところで、収納式多目的シートは体の不自由な方が使用するため、手すりには健常者では想定し難い力が加えられる場合がある。上記特許文献２に記載されている収納式多目的シートの場合、シート本体に使用者が着座した状態で第１の手すりに力を加える場合には何等問題が発生しないが、特にシート本体に使用者が着座しない状態で第１の手すりに力を加えるとその加重に応じてシート本体とともに手すりが収納状態側となる壁側に揺動してしまうことがあることを本発明者らは見出した。より具体的には、使用者が第１の手すりにもたれるように体重を手すりにかけた場合であって、その加重方向が壁面に向う方向の場合、シート本体が収納側へ揺動してしまうのと連動して壁側の手すりも壁側の方向に若干量揺動することがあった。使用者が離座している場合は特に顕著で、このようにシート本体が収納側へ揺動してしまうと、使用者は手すりを使ってのシート本体への移乗やシート本体からの離座動作の面で気を使うことになり、使い勝手の面で改良が望まれていたものである。
【０００８】
本発明はこの新たなる課題に対応すべく、体の不自由な方が使用される収納式多目的シートにおいて、シート本体に使用者が手すりに大きな力を加えた場合であっても、その加重に応じてシート本体の揺動と連動して手すりが揺動することのない収納式多目的シートを提供することを目的としている。
【課題を解決するための手段】
【０００９】
本発明に係る収納式多目的シートは、矩形のシート本体を備え、前記シート本体は、建物の構造体に設置されたシート支持体に対して前記シート本体の第１の辺と平行に設けられた回転軸周りに揺動可能に軸支され、収納状態では前記シート本体が壁面に対面するように略垂直状態で収納され、使用状態では前記シート本体が略水平となるように支持された収納式多目的シートであって、前記シート本体の前記第１の辺側に設けられた手すりを備え、前記手すりは、前記シート本体若しくは前記シート支持体に対して揺動可能となるように回転伝達手段を介して支持されていて、前記回転伝達手段は、前記手すりを前記シート本体の収納状態では前記壁面と前記シート本体との間でそれらと並立するように支持する一方で、前記シート本体の使用状態では前記手すりの上端が前記シート本体の中央側へ傾斜するように揺動可能に支持しており、更に、前記回転伝達手段は、前記シート本体の揺動操作に対しては前記手すりが連動して揺動するように構成されている一方で、少なくとも前記シート本体の使用状態においては、前記手すりに入力された操作力によって前記シート本体が前記収納状態方向に揺動させられることがないように構成されていることを特徴とする。
【００１０】
本発明に係る収納式多目的シートでは、シート本体の壁面側に取り付けられている手すりを、収納状態ではシート本体と近接させた状態で並設収納することにより、収納時にシート本体を壁面に近づけて、コンパクトに収納することができるようになっている。一方、使用状態では手すりの上端をシート本体の中央側へ傾斜させることにより、壁面との手すりとの距離が生じ、手すりの握り代を十分に確保することができるように構成されている。更に本発明に係る収納式多目的シートでは、シート本体の使用状態においては手すりに対する操作に対してシート本体が揺動することが規制されるように構成されているので、体の不自由な使用者が離座時若しくは着座時に手すりにもたれかかるようにして体重を手すりにかけた場合であっても、その手すりに対する加重によってシート本体が持ち上がるように揺動することで手すりも連動して揺動されるということが確実に防止できるため、非常に使い勝手のよい可動式の手すりを提供することができる。このような本発明の構成を採用することで、収納式多目的シートの省スペース性と手すりの操作性とを両立させることができると共に、離座時、着座時における使用感も向上させることができる。
【００１１】
本願請求項２に係る収納式多目的シートでは、前記回転伝達手段が前記シート本体に取り付けられたシート側伝達部材を備え、前記シート側伝達部材は、前記手すりを前記シート本体が収納状態から使用状態に揺動させる過程において前記手すりの上端が前記シート本体の中央側へ傾斜するように揺動させるよう構成されている一方で、少なくとも前記シート本体の使用状態においては、前記手すりに入力された操作力によって前記シート本体が前記収納状態方向に揺動させられて該手すりが前記壁面側に揺動してしまうことがないように、該手すりの動きが拘束されるように構成されていることを特徴とする。
【００１２】
このようなシート本体にシート側伝達部材を設けるという簡単な構成で、シート本体の動きに連動させて手すりの上端をシート本体の中央側へと傾斜させることができる。また、シート本体を操作するのみで手すりを連動させて傾斜させることができ、使用者がわざわざ手すりを操作する必要がなく、使い勝手が非常によいものとすることができる。更に、シート本体が使用状態にあって水平な状態となっている場合には、手すりの揺動が拘束されるように構成されているため、手すり使用時に手すりが揺動したり、シート本体が揺動してしまったりといった問題を確実に防止することができる。
【００１３】
本願請求項３に係る収納式多目的シートは、前記回転伝達手段が、前記シート本体の回転軸を構成するシート回転軸構成部材と、該シート回転軸構成部材のシート本体の回転軸とは独立して異なる位置に設けられた前記手すりの回転軸を備えた手すり回転軸構成部材を備え、前記手すり回転軸構成部材と前記シート回転軸構成部材とは、前記シート本体の収納状態では接触しておらず、前記シート本体が収納状態から使用状態へと所定角度揺動した状態で当接することによって前記シート本体の揺動に連動して前記手すりを揺動させるように構成されている一方で、前記シート本体の使用状態では、前記手すりに入力された操作力によって前記シート本体が前記収納状態方向に揺動させられることがないように、前記操作力が前記シート本体の回転軸に略向って作用するように構成したことを特徴とする。
【００１４】
このように回転伝達手段が手すり回転軸構成部材とシート回転軸構成部材とを備え、手すり回転軸構成部材とシート回転軸構成部材とは、シート本体が収納状態から使用状態へと所定角度揺動した状態では当接することで、シート本体の揺動に連動させて手すりを揺動させることができる。また、シート本体が使用状態にあっては、手すりから入力される操作力がシート本体の回転軸に略向って作用されるように構成されているため、手すりの操作力はシート本体の回転軸に作用しているためシート本体を収納方向に揺動させるようなモーメントの発生を抑制することができる。このように、手すりに入力された操作力がシート本体を収納状態へと揺動させる方向にモーメントとして作用しないように構成するという技術的思想を採用することにより、簡単な構成で、手すりの操作に起因した手すりやシート本体の揺動を確実に抑制することができる。
【００１５】
本願請求項４に係る収納式多目的シートにおいては、前記手すり回転軸構成部材と前記シート回転軸構成部材は、前記手すりに入力された操作力が、前記シート本体の回転軸の軸心に向う方向、若しくは、前記シート本体が使用状態方向に揺動するモーメントとして所定量作用する方向になるよう構成されていることを特徴とする。
【００１６】
このように、手すりからの操作力が、シート本体の回転軸の軸心に向う方向、若しくは、シート本体が使用状態方向に揺動する方向にモーメントが所定量発生するように、シート本体の軸心に対して操作力の方向を決定付けている。そのため、手すりから入力される操作力によっては、確実にシート本体が揺動しない、若しくは、その力によってはシート本体が使用状態方向に揺動するようにしか作用しない（地面にシート本体を押し付ける力となる）ため、シート本体が収納状態方向に揺動して手すりも動いてしまうという問題を確実に防止することができる。
【００１７】
本願請求項５に係る収納式多目的シートは、前記シート側伝達部材は、前記シート本体が収納状態から使用状態へと所定角度揺動した状態で前記手すりを連動させて揺動させるように構成されている一方で、前記シート本体の使用状態では、前記手すりからの操作力が、前記シート本体に対して使用状態方向へ作用するように傾斜面が形成されていることを特徴とする。
【００１８】
このようにシート本体にシート側伝達部材を設けるという簡単な構成で、シート本体が収納状態から使用状態へと所定角度揺動した状態でシート本体に当接することにより、シート本体の揺動に連動させて手すりを確実に揺動させることができる。また、シート本体の使用状態にあっては、シート側伝達部材に傾斜面を設けるという簡単な構成で、手すりからの操作力が前記シート本体に対して使用状態方向へと押し付ける力を発生させることができるため、簡単な構成で、手すり使用時にシート本体の揺動に起因して手すりが揺動することを確実に抑制することができる。
【発明の効果】
【００１９】
本発明によれば、体の不自由な方が使用される収納式多目的シートにおいて、シートの収納空間を小さくできることで狭いトイレ空間を有効に使う事ができるとともに、収納空間を小さくしたことによって手すりの握り代を犠牲にしてしまうこともなく手すりの使い勝手も高いレベルで維持することができる。さらに、シート本体に使用者が着座していない状態で手すりに大きな力を加えた場合であっても、その加重に応じてシート本体が揺動する形で手すりも揺動してしまうという問題も解決できる極めて実用性の高い収納式多目的シートを提供することができるものである。
【発明を実施するための最良の形態】
【００２０】
以下、添付図面を参照して、本発明の好適な実施形態について詳細に説明する。なお、説明において、同一要素又は同一機能を有する要素には、同一符号を用いることとし、重複する説明は省略する。
【００２１】
本実施形態に係る収納式多目的シートは、身障者用トイレブース、多目的トイレブース又は介護施設の脱衣所等に設置される収納式多目的シートであり、特に車椅子使用者の利用を意図したものである。この収納的多目的シートを図１及び図２に示す。収納式多目的シート１０は、図１及び図２に示されるように、略矩形形状のシート本体１１と、シート本体１１を支持するシート支持体としての取付ベース１２とを備える。図１は本実施形態に係る収納式多目的シート１０を示す斜視図であって、（ａ）はシート本体１１が使用位置にある状態を示し、（ｂ）はシート本体１１が収納位置にある状態を示している。図２は本実施形態に係る収納式多目的シート１０を示す側面図であって、シート本体１１は、収納位置にある。
【００２２】
図１に示されるように、取付ベース１２は、水平方向の回転軸１３周りにシート本体１１を揺動自在に支持している。シート本体１１は、回転軸１３に平行な長手方向に伸び且つ回転軸１３に垂直な短手方向で互いに対向する第１側部１１ａ及び第２側部１１ｂを有している。第１側部１１ａは、シート本体１１の第１の辺側に位置して揺動支点側となり、取付ベース１２に対して、回転軸１３周りに揺動自在に軸支されている。第２側部１１ｂは、シート本体１１の第２の辺側に位置して自由端側となっている。
【００２３】
収納式多目的シート１０は、通常、壁面Ｗに沿って設置される。つまり、取付ベース１２を壁面Ｗに沿って設置し、収納時の収納位置で、シート本体１１の戴置面１１ｃが壁面Ｗに近接し且つ対面するように設置される。
【００２４】
シート本体１１の背面１１ｄには脚１４が設けられている。そして、使用時の使用位置では、脚１４の先端が床面に接地してシート本体１１を支え、収納位置のときは、シート本体１１と同様に、脚１４はシート本体１１と並設される状態で収納されるようシート本体１１側の基端を中心に揺動するように構成されている。
【００２５】
シート本体１１の第１側部１１ａには、第１側部１１ａに沿うように手すり１５が設けられている。手すり１５は、シート本体１１の回転軸１３とは異なる軸線上に配置されている回転軸１６の周りに揺動自在に軸支されている。
【００２６】
図２に示されるように、取付ベース１２の上に設けられた支持部２１に対して、回転軸１３を介してシート本体１１が軸支されている。支持部２１には、回転軸１６を介して、手すり１５を支えるブラケット２２も軸支されている。
【００２７】
シート本体１１の背面１１ｄの本体支持フレーム２３には、脚１４の基端側が回転軸２４により軸支されている。脚作動用リンク２５は、その一端を回転軸１３の隣で、支持部２１に設けられたピン２６により軸支され、他端が脚１４に回転軸２７で軸支されている。このとき、本体支持フレーム２３、支持部２１、脚作動用リンク２５、及び脚１４（回転軸１３，２７，２４及びピン２６）は、実質的に４リンク機構を形成する。この４リンク機構により、脚１４はシート本体１１の揺動動作に連動して揺動する。
【００２８】
ここで、図２に示されるように、取付ベース１２を壁面Ｗに密着または隣接するようにして設置したとする。手すり１５に着目すると、図２に示す収納位置では、手すり１５は壁面Ｗとシート本体１１との間に収納される。手すり１５は、同図に示す側面視において、屈曲部１５ａを有する。屈曲部１５ａよりも先端側の手すり１５は、シート本体１１と実質的に平行になっている。これにより、シート本体１１と壁面Ｗとの間の距離を小さくしても、壁面Ｗにあたらないように手すり１５を格納することができる。手すり１５は、ブラケット２２を介して回転軸１６周りに揺動自在に取り付けられている。シート本体１１の揺動動作に連動して、手すり１５も揺動するように構成されている。
【００２９】
ここで、シート本体１１の揺動動作に連動して、手すり１５が回転軸１６周りに揺動する機構について、図３を参照しながら説明する。図３は、壁面Ｗに対して垂直方向、すなわち図２の状態でシート本体１１の背面１１ｄ方向から、回転軸１６近傍を見た状態を示す図である。図３に示されるように、手すり１５の回転軸１６は、シート本体１１の回転軸１３とは互いに平行であって、且つ回転軸１３近傍の異なる位置にその回転中心が位置するように配置されている。回転軸１６は、支持部２１に対してブラケット２２が回転自在となるように、ブラケット２２を支持部２１に対して軸支している。
【００３０】
ブラケット２２には従動ピン３１が、回転軸１６が延出する方向とは反対側に延出するように設けられている。本体支持フレーム２３には駆動カム３０が設けられていて、ブラケット２２の従動ピン３１が延出している方の面に沿うように配置されている。従動ピン３１は駆動カム３０に当接して摺動し、その摺動によってブラケット２２が揺動して手すり１５が揺動するように構成されている。具体的には、図４に示されるように、シート本体１１を傾動させると、シート本体１１が約４５度程度傾斜した状態で、従動ピン３１が駆動カム３０の当接面３０ａに当接し始める。従動ピン３１及び駆動カム３０の近傍を拡大した斜視図を図５に示す。
【００３１】
図４及び図５に示した状態から、更にシート本体１１を傾動させ、シート本体１１が略水平となって脚１４が床面に当接すると、図６に示すような状態となる。図６に示す状態では、駆動カム３０によって従動ピン３１が押し込まれ、その動きによって手すり１５が回転軸１６を中心として所定角度揺動し、手すり１５の先端が壁面Ｗから離れ、手すり１５と壁面Ｗとの間に使用者が手を差し入れるスペースが確保される。
【００３２】
図６に示す状態において、駆動カム３０と従動ピン３１とは当接した状態を維持している。図６に示す状態から手すり１５を使用者が動かそうとしても、手すり１５がロックされた状態となって、手すり１５を動かそうとしてもシート本体１１が浮き上がってしまうことがなくなるように構成されている。
【００３３】
上述した本実施形態は、シート本体１１の揺動操作に対して手すり１５が連動して揺動するように構成される一方で、少なくともシート本体１１の使用状態においては手すり１５に対する操作に対してシート本体１１が収納状態方向に揺動させられることがないように構成されるという本発明の技術的思想を実現する一例である。
【００３４】
より具体的には、回転伝達手段であるシート側伝達部材として、シート本体１１に取り付けられる駆動カム３０を備え、その駆動カム３０によって、シート本体１１を収納状態（図２に示す状態）から使用状態（図６に示す状態）に揺動させる過程の所定角度（図４に示す状態）において手すり１５の上端がシート本体１１の中央側へ傾斜するように手すり１５を揺動させる一方で、シート本体１１の使用状態（図６に示す状態）においては手すり１５が壁面Ｗ側に揺動してしまうことがないように構成されているものである。
【００３５】
更に、回転伝達手段を手すり回転軸構成部材とシート回転軸構成部材とによって構成していると捉えれば、手すり回転軸構成部材は回転軸１６、ブラケット２２及び従動ピン３１によって構成され、シート回転軸構成部材は回転軸１３、本体支持フレーム２３及び駆動カム３０によって構成される。このように構成される手すり回転軸構成部材とシート回転軸構成部材とは、シート本体１１の収納状態（図２に示す状態）では接触しておらず、シート本体１１が収納状態（図２に示す状態）から使用状態（図６に示す状態）へと所定角度揺動した状態（図４に示す状態）では当接することで、シート本体１１の揺動に連動させて手すり１５を揺動させている。
【００３６】
シート本体１１の使用状態（図６に示す状態）では、手すり１５からの操作力は、シート本体１１の回転軸１３に向って作用することで、シート本体１１が収納状態へと揺動する方向にモーメントを作用させないように構成されている。より具体的には、手すり１５からの操作力は、シート本体１１が収納状態とは反対側に揺動する方向、若しくは、シート本体１１を床へと押し下げる方向に作用するように構成されている。
【００３７】
ここで、シート本体１１が収納状態へと揺動する方向にモーメントを生じさせないように、手すり１５からの操作力を受け止める態様として、手すり１５からの操作力をシート本体１１の回転半径方向に作用させる例を図７〜図１０を参照しながら説明する。図７は、この態様における収納式多目的シート１０ａの側面図であって、シート本体１１の収納状態を示す図である。図８は、図７に示す状態において手すり回転軸構成部材とシート回転軸構成部材とがどのような位置関係にあるかを示す斜視図である。図９は、この態様における収納式多目的シート１０ａの側面図であって、シート本体１１の使用状態を示す図である。図１０は、図９に示す状態において手すり回転軸構成部材とシート回転軸構成部材とがどのような位置関係にあるかを示す斜視図である。
【００３８】
図７に示されるように、取付ベース１２の上に設けられた支持部２１１に対して、回転軸１３を介してシート本体１１が軸支されている。支持部２１１には、回転軸１６を介して、手すり１５１を支えるブラケット２２１も軸支されている。
【００３９】
シート本体１１の背面１１ｄの本体支持フレーム２３には、脚１４の基端側が回転軸（図７において明示しない）により軸支されている。脚１４を支持する４リンク機構は上述したものと同様であるので、その説明を省略する。
【００４０】
ここで、図７に示されるように、取付ベース１２を壁面Ｗに密着または隣接するようにして設置したとする。手すり１５１に着目すると、図７に示す収納位置では、手すり１５１は壁面Ｗとシート本体１１との間に収納される。手すり１５１は、シート本体１１と実質的に平行になっている。これにより、シート本体１１と壁面Ｗとの間の距離を小さくしても、壁面Ｗにあたらないように手すり１５１を格納することができる。手すり１５１は、ブラケット２２１を介して回転軸１６周りに揺動自在に取り付けられている。シート本体１１の揺動動作に連動して、手すり１５１も揺動するように構成されている。
【００４１】
ここで、シート本体１１の揺動動作に連動して、手すり１５１が回転軸１６周りに揺動する機構について、図８を参照しながら説明する。図８は、収納式多目的シート１０ａの手すり回転軸構成部材であるブラケット２２１及び回転軸１６と、シート回転軸構成部材である摺動部材３０１及び回転軸１３との構成を示している。図８に示されるように、手すり１５１はブラケット２２１に取り付けられており、ブラケット２２１は支持部２１１に対して回転軸１６を中心に揺動可能なように軸支されている。一方、摺動部材３０１は、シート本体１１（図７参照）の本体支持フレーム２３に取り付けられており、回転軸１３を中心に揺動可能なように軸支されている。また、回転軸１３と回転軸１６とは、図７及び図８に示されるように、所定の距離をおいて離隔して互いに平行に設けられている。
【００４２】
摺動部材３０１はシート本体１１から突出するように設けられており、その先端には摺動面３０１ａが形成されている。一方、ブラケット２２１のシート本体１１側に向う側には、当接面２２１ａが形成されている。ブラケット２２１の当接面２２１ａは、図７及び図８に示されるようなシート本体１１の収納状態において、すなわち手すり１５１が壁面Ｗ及びシート本体１１と沿うように配置されている状態において、手すり１５１の先端側寄りの一端側から他端側（床面側）にかけてシート本体１１側にせり出すように斜めに面が形成されている。
【００４３】
図７及び図８に示されるようなシート本体１１の収納状態においては、摺動面３０１ａと当接面２２１ａとは接触しないように配置されている。シート本体１１が収納状態（図７及び図８に示す状態）から使用状態（図９及び図１０に示す状態）へと所定角度揺動した状態では、摺動面３０１ａと当接面２２１ａとが当接し始める。上述したように、ブラケット２２１の当接面２２１ａは下方がシート本体１１側にせり出すように斜めに形成されているので、摺動面３０１ａが当接し始めると、ブラケット２２１の下方を壁面Ｗ側に押し込んでいき、シート本体１１の揺動に連動させて手すり１５１が揺動するように構成されている。
【００４４】
シート本体１１の使用状態（図９及び図１０に示す状態）では、手すり１５１からの操作力は、シート本体１１の回転軸１３に向って作用することで、シート本体１１が収納状態へと揺動する方向にモーメントを作用させないように構成されている。より具体的には、摺動面３０１ａと当接面２２１ａとの接触部分の高さが回転軸１３と略同じ高さになるように構成されているので、手すり１５１からの操作力は、シート本体１１の回転軸１３の軸心に向って作用するように構成されている。
【００４５】
上述した本実施形態及びその変形態様は、手すりの回転軸１６を構成する手すり回転軸構成部材と、その回転軸１６とは異なる軸線上においてシート本体１１の回転軸１３を構成するシート回転軸構成部材とによって、本発明の一実施形態を実現したものである。本発明の趣旨に鑑みれば、手すり回転軸構成部材の軸線とシート回転軸構成部材の軸線とが同一の軸線上にあっても構わないので、そのような変形態様について説明する。図１１及び図１２は、手すり回転軸構成部材の軸線とシート回転軸構成部材の軸線とが同一の軸線上にある場合の一例を示す図である。図１１は、シート本体１１が収納状態である場合を示し、図１２は、シート本体１１が使用状態である場合を示す。
【００４６】
図１１に示されるように、取付ベース（図１１においては明示しない）の上に設けられた支持部２１２に対して、回転軸１３１を介してシート本体１１が軸支されていると共に、手すり１５２を支えるブラケット２２２も軸支されている。
【００４７】
シート本体１１の本体支持フレーム２３１には、伝動回転子４０が設けられている。伝動回転子４０は、本体支持フレーム２３１に対して接合部４０ａにおいてピン接合されている。本体支持フレーム２３１にはフレーム荷重受け面２３１ａが形成されている。伝動回転子４０の接合部４０ａを挟んで一側はフレーム荷重受け面２３１ａに当接し、他側はフレーム荷重受け面２３１ａから突出するように構成されている。
【００４８】
ブラケット２２２には、手すり伝動板２２３が設けられている。手すり伝動板２２３は、回転軸１３１よりも一回り大きな外周を有すると共に、その外周の一部が切り欠かれて、手すり荷重受け面２２３ａが形成されている。手すり荷重受け面２２３ａは、シート本体１１が回転軸１３１周りに回転するのに連動伝動回転子４０が回転した場合に、シート本体１１が使用状態になる前に当接するように形成されている。従って、図１１に示されるようなシート本体１１が収納状態である場合には、伝動回転子４０は手すり荷重受け面２２３ａには当接しない。
【００４９】
シート本体１１を図１１に示す収納状態から図１２に示す使用状態へと傾動させると、伝動回転子４０の他側が手すり荷重受け面２２３ａに当接して、手すり伝動板２２３を回転させ、ブラケット２２２が揺動して手すり１５２の先端側がシート本体１１の中央方向に向って傾き、手すり１５２の先端が壁面Ｗから離れ、手すり１５２と壁面Ｗとの間に使用者が手を差し入れるスペースが確保される。
【００５０】
図１２に示されるように、シート本体１１が使用状態にある場合に、手すり１５２を壁面Ｗ側に押し込もうとすると、手すり伝動板２２３がシート本体１１を持ち上げる方向（図中矢印Ｂ方向）に回転しようとする。手すり伝動板２２３の手すり荷重受け面２２３ａは伝動回転子４０に当接するけれども、伝動回転子４０は接合部４０ａにおいてピン接合されており、接合部４０ａを挟んだ一端から他端までの距離が極めて短いため、実際に伝達されるトルクは図中矢印Ｃで示すように小さいものとなる。従って、手すり１５２の操作力は、シート回転軸構成部材である伝動回転子４０や本体支持フレーム２３１を持ち上げるように作用し、シート本体１１に対する回転軸１３１周りのモーメントが小さくなって、シート本体１１の開き方向のモーメント（図中矢印Ａ）に打ち勝つことができず、シート本体１１が浮き上がってしまうことを抑制できる。
【図面の簡単な説明】
【００５１】
【図１】本実施形態に係る収納式多目的シートを示す斜視図である。
【図２】本実施形態に係る収納式多目的シートを示す側面図であって、シート本体の収納状態を示す図である。
【図３】本実施形態に係る収納式多目的シートにおける、回転伝達手段を構成する部材の近傍を示す正面図である。
【図４】本実施形態に係る収納式多目的シートを示す側面図であって、シート本体の収納状態から使用状態へと傾動する途中の状態を示す図である。
【図５】図４に示す状態において、回転伝達手段を構成する部材の近傍を示す斜視図である。
【図６】本実施形態に係る収納式多目的シートを示す側面図であって、シート本体の使用状態を示す図である。
【図７】本実施形態の変形態様に係る収納式多目的シートを示す側面図であって、シート本体の収納状態を示す図である。
【図８】図７に示す収納式多目的シートにおける、回転伝達手段を構成する部材を示す斜視図である。
【図９】図７に示す収納式多目的シートのシート本体が使用状態へと傾動した状態を示す側面図である。
【図１０】図９に示す収納式多目的シートにおける、回転伝達手段を構成する部材を示す斜視図である。
【図１１】本実施形態の変形態様に係る収納式多目的シートを示す側面図であって、シート本体の収納状態における回転軸近傍を示す図である。
【図１２】本実施形態の変形態様に係る収納式多目的シートを示す側面図であって、シート本体の使用状態における回転軸近傍を示す図である。
【符号の説明】
【００５２】
１０：収納式多目的シート
１０ａ：収納式多目的シート
１１：シート本体
１１ａ：側部
１１ｂ：側部
１１ｃ    戴置面
１１ｄ：背面
１２：取付ベース
１３：回転軸
１４：脚
１５：手すり
１５ａ：屈曲部
１６：回転軸
２１：支持部
２２：ブラケット
２３：本体支持フレーム
２４：回転軸
２５：脚作動用リンク
２６：ピン
２７：回転軸
３０：駆動カム
３０ａ：当接面
３１：従動ピン
４０：伝動回転子
４０ａ：接合部
１３１：回転軸
２１１：支持部
２１２：支持部
２２１：ブラケット
２２１ａ：当接面
２２２：ブラケット
２２３：伝動板
２３１：本体支持フレーム
３０１：摺動部材
３０１ａ：摺動面
【図１】
2010142377.tif 000003
【図２】
2010142377.tif 000004
【図３】
2010142377.tif 000005
【図４】
2010142377.tif 000006
【図５】
2010142377.tif 000007
【図６】
2010142377.tif 000008
【図７】
2010142377.tif 000009
【図８】
2010142377.tif 000010
【図９】
2010142377.tif 000011
【図１０】
2010142377.tif 000012
【図１１】
2010142377.tif 000013
【図１２】
2010142377.tif 000014
【手続補正書】
【提出日】平成21年5月29日(2009.5.29)
【手続補正１】
【補正対象書類名】特許請求の範囲
【補正対象項目名】全文
【補正方法】変更
【補正の内容】
【特許請求の範囲】
【請求項１】
矩形のシート本体を備え、前記シート本体は、建物の構造体に設置されたシート支持体に対して前記シート本体の第１の辺の近傍においてこの第１の辺と平行に設けられた回転軸周りに揺動可能に軸支され、収納状態では前記シート本体が壁面に対面するように略垂直状態で収納され、使用状態では前記シート本体が略水平となるように支持された収納式多目的シートであって、
前記シート本体の前記第１の辺側に設けられた手すりを備え、
前記手すりは、前記シート本体若しくは前記シート支持体に対して揺動可能となるように回転伝達手段を介して支持され、前記シート本体の収納状態では前記壁面と前記シート本体との間でそれらと並立するように支持される一方で、前記シート本体の使用状態では上端が前記シート本体の中央側へ傾斜するように揺動可能に支持されており、
前記回転伝達手段は、前記シート本体の回転軸を構成するシート回転軸構成部材と、該シート回転軸構成部材のシート本体の回転軸とは独立して異なる位置に設けられた前記手すりの回転軸を備えた手すり回転軸構成部材を備え、
前記シート本体の使用状態では、前記手すり回転軸構成部材と前記シート回転軸構成部材とが、面部分において当接し、前記手すりを前記壁面に向けて押すように入力された操作力によって前記手すり回転軸構成部材が前記面部分を押し、前記面部分が押されることによって前記シート回転軸構成部材へ伝わる力が、前記シート本体の回転軸の軸心に向かうように若しくは前記シート本体を使用状態方向に揺動させる方向に向かうように構成されていることを特徴とする収納式多目的シート。
【請求項２】
前記シート本体が収納状態では、前記手すり回転軸構成部材と前記シート回転軸構成部材とが当接しておらず、
前記シート本体が収納状態から使用状態へと揺動する状態では、前記手すり回転軸構成部材と前記シート回転軸構成部材とが、前記面部分とは異なる面部分において当接し、前記シート回転軸構成部材が前記異なる面部分を介して前記手すり回転軸構成部材を押すことによって前記シート本体の揺動に連動して前記手すりを揺動させるように構成されていることを特徴とする請求項１に記載の収納式多目的シート。
【請求項３】
前記シート回転軸構成部材は、前記シート本体に取り付けられ、前記シート本体の回転軸回りに揺動する駆動カムを有し、
前記手すり回転軸構成部材は、前記手すりに設けられ、前記手すりの回転軸回りに揺動する従動ピンを有し、
前記シート本体の使用状態では、前記駆動カムと前記従動ピンとが、前記駆動カムの前記面部分である当接面において当接し、前記操作力によって前記従動ピンが前記当接面を押し、前記当接面が押されることによって前記駆動カムに伝わる力が、前記シート本体を使用状態方向に揺動させる方向に向かうように構成されていることを特徴とする請求項１に記載の収納式多目的シート。
【請求項４】
前記シート回転軸構成部材は、前記シート本体に取り付けられ、前記シート本体の回転軸回りに揺動する摺動部材を有し、
前記手すり回転軸構成部材は、前記手すりに設けられ、前記手すりの回転軸よりも下方においてその手すりの回転軸回りに揺動するブラケットを有し、
前記シート本体の使用状態では、前記摺動部材と前記ブラケットとが、前記摺動部材の前記面部分である摺動面と前記ブラケットの当接面とにおいて当接し、前記操作力によって前記ブラケットが前記当接面を介して前記摺動面を押し、前記摺動面が押されることによって前記摺動部材に伝わる力が、前記シート本体の回転軸の略軸心に向うように構成されていることを特徴とする請求項１に記載の収納式多目的シート。
【手続補正２】
【補正対象書類名】明細書
【補正対象項目名】０００９
【補正方法】変更
【補正の内容】
【０００９】
本発明に係る収納式多目的シートは、矩形のシート本体を備え、前記シート本体は、建物の構造体に設置されたシート支持体に対して前記シート本体の第１の辺の近傍においてこの第１の辺と平行に設けられた回転軸周りに揺動可能に軸支され、収納状態では前記シート本体が壁面に対面するように略垂直状態で収納され、使用状態では前記シート本体が略水平となるように支持された収納式多目的シートであって、前記シート本体の前記第１の辺側に設けられた手すりを備え、前記手すりは、前記シート本体若しくは前記シート支持体に対して揺動可能となるように回転伝達手段を介して支持され、前記シート本体の収納状態では前記壁面と前記シート本体との間でそれらと並立するように支持される一方で、前記シート本体の使用状態では上端が前記シート本体の中央側へ傾斜するように揺動可能に支持されており、前記回転伝達手段は、前記シート本体の回転軸を構成するシート回転軸構成部材と、該シート回転軸構成部材のシート本体の回転軸とは独立して異なる位置に設けられた前記手すりの回転軸を備えた手すり回転軸構成部材を備え、前記シート本体の使用状態では、前記手すり回転軸構成部材と前記シート回転軸構成部材とが、面部分において当接し、前記手すりを前記壁面に向けて押すように入力された操作力によって前記手すり回転軸構成部材が前記面部分を押し、前記面部分が押されることによって前記シート回転軸構成部材へ伝わる力が、前記シート本体の回転軸の軸心に向かうように若しくは前記シート本体を使用状態方向に揺動させる方向に向かうように構成されていることを特徴とする。
【手続補正３】
【補正対象書類名】明細書
【補正対象項目名】００１０
【補正方法】変更
【補正の内容】
【００１０】
本発明に係る収納式多目的シートでは、シート本体の壁面側に取り付けられている手すりを、収納状態ではシート本体と近接させた状態で並設収納することにより、収納時にシート本体を壁面に近づけて、コンパクトに収納することができるようになっている。一方、使用状態では手すりの上端をシート本体の中央側へ傾斜させることにより、壁面との手すりとの距離が生じ、手すりの握り代を十分に確保することができるように構成されている。更に本発明に係る収納式多目的シートでは、シート本体の使用状態においては手すりに対する操作に対してシート本体が揺動することが規制されるように構成されているので、体の不自由な使用者が離座時若しくは着座時に手すりにもたれかかるようにして体重を手すりにかけた場合であっても、その手すりに対する加重によってシート本体が持ち上がるように揺動することで手すりも連動して揺動されるということが確実に防止できるため、非常に使い勝手のよい可動式の手すりを提供することができる。このような本発明の構成を採用することで、収納式多目的シートの省スペース性と手すりの操作性とを両立させることができると共に、離座時、着座時における使用感も向上させることができる。また、シート本体が使用状態にあっては、手すりから入力される操作力がシート本体の回転軸に向って作用されるように構成されているため、手すりの操作力はシート本体の回転軸に作用しているためシート本体を収納方向に揺動させるようなモーメントの発生を抑制することができる。このように、手すりに入力された操作力がシート本体を収納状態へと揺動させる方向にモーメントとして作用しないように構成するという技術的思想を採用することにより、簡単な構成で、手すりの操作に起因した手すりやシート本体の揺動を確実に抑制することができる。
【手続補正４】
【補正対象書類名】明細書
【補正対象項目名】００１１
【補正方法】変更
【補正の内容】
【００１１】
本願請求項２に係る収納式多目的シートでは、前記シート本体が収納状態では、前記手すり回転軸構成部材と前記シート回転軸構成部材とが当接しておらず、前記シート本体が収納状態から使用状態へと揺動する状態では、前記手すり回転軸構成部材と前記シート回転軸構成部材とが、前記面部分とは異なる面部分において当接し、前記シート回転軸構成部材が前記異なる面部分を介して前記手すり回転軸構成部材を押すことによって前記シート本体の揺動に連動して前記手すりを揺動させるように構成されていることを特徴とする。
【手続補正５】
【補正対象書類名】明細書
【補正対象項目名】００１２
【補正方法】変更
【補正の内容】
【００１２】
このように、回転伝達手段が手すり回転軸構成部材とシート回転軸構成部材とを備え、手すり回転軸構成部材とシート回転軸構成部材とは、シート本体が収納状態から使用状態へと揺動した状態では当接することで、シート本体の揺動に連動させて手すりを揺動させることができる。
【手続補正６】
【補正対象書類名】明細書
【補正対象項目名】００１３
【補正方法】変更
【補正の内容】
【００１３】
本願請求項３に係る収納式多目的シートでは、前記シート回転軸構成部材は、前記シート本体に取り付けられ、前記シート本体の回転軸回りに揺動する駆動カムを有し、前記手すり回転軸構成部材は、前記手すりに設けられ、前記手すりの回転軸回りに揺動する従動ピンを有し、前記シート本体の使用状態では、前記駆動カムと前記従動ピンとが、前記駆動カムの前記面部分である当接面において当接し、前記操作力によって前記従動ピンが前記当接面を押し、前記当接面が押されることによって前記駆動カムに伝わる力が、前記シート本体を使用状態方向に揺動させる方向に向かうように構成されていることを特徴とする。
【手続補正７】
【補正対象書類名】明細書
【補正対象項目名】００１４
【補正方法】変更
【補正の内容】
【００１４】
本願請求項４に係る収納式多目的シートでは、前記シート回転軸構成部材は、前記シート本体に取り付けられ、前記シート本体の回転軸回りに揺動する摺動部材を有し、前記手すり回転軸構成部材は、前記手すりに設けられ、前記手すりの回転軸よりも下方においてその手すりの回転軸回りに揺動するブラケットを有し、前記シート本体の使用状態では、前記摺動部材と前記ブラケットとが、前記摺動部材の前記面部分である摺動面と前記ブラケットの当接面とにおいて当接し、前記操作力によって前記ブラケットが前記当接面を介して前記摺動面を押し、前記摺動面が押されることによって前記摺動部材に伝わる力が、前記シート本体の回転軸の略軸心に向うように構成されていることを特徴とする。
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００３６
【補正方法】変更
【補正の内容】
【００３６】
シート本体１１の使用状態（図６に示す状態）では、シート本体１１が収納状態へと揺動する方向にモーメントを作用させないように構成されている。より具体的には、手すり１５からの操作力は、シート本体１１が収納状態とは反対側に揺動する方向、若しくは、シート本体１１を床へと押し下げる方向に作用するように構成されている。